(57)【要約】【課題】  年老いて手が多少不自由でも、また介護する人にとっても、比較的容易に着脱することが出来るストッキングやソックスの提供。【解決手段】  ストッキングは脚部１と足部２から成り、脚部１にはその上端から足部側へ延びるスリット４を形成すると共に該スリット４は開口することが出来、開口度を規制する為にスリット４を跨いで縫い付けた伸縮バンド６，６・・・を設け、さらに該スリット４を閉じる為にファスナー３を備えている。【選択図】    図２
2019108631.tif 000002
【特許請求の範囲】
【請求項１】
着用することで足から脚にかけての身体部分を覆うことが出来る足部と脚部を有すストッキングにおいて、脚部にはその上端から足部側へ延びるスリットを形成すると共に該スリットは開口することが出来、開口度を規制する為にスリットを跨いで縫い付けた伸縮生地を設け、さらに該スリットを閉じる為の閉塞手段を備えたことを特徴とするストッキング。
【請求項２】
足、脚、及び腰にかけての身体部分を被覆するタイツとして機能するストッキングであって、腰部の上端から脚部及び足部側へ延びるスリットを形成した請求項１記載のストッキング。
【請求項３】
上記伸縮生地としてスリットの所々に伸縮バンドを縫い付けた請求項１、又は請求項２記載のストッキング。
【請求項４】
スリットを閉じる為の閉塞手段としてファスナーを設けた請求項１、請求項２、又は請求項３記載のストッキング。
【請求項５】
スリットを閉じる為の閉塞手段としてフック−アイを設けた請求項１、請求項２、又は請求項３記載のストッキング。
【請求項６】
着用することで足から膝下までの脚にかけての身体部分を覆うことが出来る足部と脚部を有すソックスにおいて、脚部にはその上端から足部側へ延びるスリットを形成すると共に該スリットは開口することが出来、開口度を規制する為にスリットを跨いで縫い付けた伸縮生地を設け、さらに該スリットを閉じる為の閉塞手段を備えたことを特徴とするソックス。
【発明の詳細な説明】
【技術分野】
【０００１】
本発明は年老いて手が不自由な人であっても比較的簡単に着脱することが出来るストッキングや（ソックス）、また着用することで脚を適度圧迫力で締付けることが出来るように医療現場などで使用されるストッキングに関するものである。
ここで、該ストッキング及びソックスには足から腰までの部分を被覆するタイツタイプのもの、また、足から大腿部までを被覆することが出来るソックスなど色々あるが、その大きさや長さ、及びその生地質に関しては限定しないことにする。
【背景技術】
【０００２】
一口にストッキングやソックスと言ってもその種類は色々あり、カカトを超える靴下のように短いものから、膝を超える長いもの、さらには腰まで届く長いストッキング（タイツ）のようなものまで、多種多様である。
短いソックスであれば比較的着用したり脱いだりすることは手軽に出来るが、長いストッキングやソックスともなれば着脱することは容易でない。特に年老いて手が多少不自由になれば長いストッキングの着脱は容易でなく、特にタイツともなれば一人で着脱することは出来ない。
また、介護する人にとってもタイツのような長いストッキングを履かせたり、脱がせたりすることは面倒である。
【０００３】
一方、ストッキングは足腰を保温する目的が主であるが、健康維持を目的として着用する場合もある。
年を取ると脚にむくみを生じることがあり、その原因は血流の停滞である。血液は心臓から動脈を通じて手足の先まで運ばれるが、末端まで行った血液は静脈を通じて心臓に戻ってくる。心臓に戻る際には重力に逆らいながら流れるために、血流の停滞が起こり易くなる。そうすると、停滞した血液が血管にぶつかるので、それがむくみとして表面に出てくる。 また、静脈弁が壊れてしまうとその症状は悪化し、下肢静脈瘤という病気の発症にも繋がる。
【０００４】
脚には筋ポンプ作用があり、主にふくらはぎにある筋肉が締まった時に、脚の深部静脈がぐっと圧迫され、それにより静脈弁がキュッと締まるように作用することが出来る。 静脈弁が締まると血流の逆流・停滞が緩和されるためにむくみを予防することになる。
この筋ポンプ作用を助ける為に弾性機能を備えたストッキングを着用することが多い。また、手術の際に血栓（深部静脈血栓）が出来るのを防ぐ目的で装着することも多い。
【０００５】
ところで、むくみの原因である血流の停滞を起こしやすい時とは、例えば飛行機に乗って長時間の同じ体勢をとらないといけない時や、被災地などで車中泊を余儀なくされる時、長時間の立ち仕事の日などである。特に長時間の血液の滞留は血栓が出来易くなり、エコノミークラス症候群を誘発する可能性が高く、弾性ストッキングを着用することで、むくみを抑制することが出来る。
【０００６】
特開２０１４−１８８１１６号に係る「医療用弾性ストッキング」は、足裏において滑りにくくし患者の転倒を防止することが出来る。
すなわち、静脈血栓塞栓症発症予防のための医療用弾性ストッキングであって，膝部から下の脚部を圧して覆うように形成された圧縮性の覆い部を有し，前記覆い部の踵部とつま先部がカットされて露出されている。
【０００７】
特開２０１１−１１５５７１号に係る「医療用ストッキング」は、リンパ浮腫等の治療用ストッキングとして必要な着圧を保ちつつ、通気性や透湿性にも優れている。
そこで、地糸と、該地糸より強い圧縮力を有する挿入糸を用いて編成された伸縮性編地で、少なくともレッグ部を形成していて、踝からふくらはぎ下端までの足首領域、ふくらはぎ下端から膝までの下腿領域、膝から脚の付け根までの大腿領域の順に着圧が段階的に弱められ、前記地糸の糸長と前記挿入糸の糸長との比が、前記下腿領域で（地糸の糸長）：（挿入糸の糸長）＝４．３〜６．０：１、前記大腿領域で（地糸の糸長）：（挿入糸の糸長）＝３．３〜５．０：１とされている。
【０００８】
実用新案登録第３１２３６０５号に係る「医療用弾性ストッキング」は、通常の着用時には小さく閉じて塞がり、診察時には充分に大きく伸ばし拡げて甲部分から足首近くにかけて観察（診察）しうるようにしたストレッチ性を有するモニターホールを甲部分に設けている。
【特許文献１】特開２０１４−１８８１１６号に係る「医療用弾性ストッキング」
【特許文献２】特開２０１１−１１５５７１号に係る「医療用ストッキング」
【特許文献３】実用新案登録第３１２３６０５号に係る「医療用弾性ストッキング」
【発明の開示】
【発明が解決しようとする課題】
【０００９】
このように、ストッキングやソックスに関しては従来から色々知られており、足腰を保温する為に、またむくみ防止の為に、さらに手術の際の血栓の発生を防ぐ為に使用されている。ところで、ストッキングはその長さが大きくなると、特に腰まで届くタイツともなれば着用することは容易でなく、また脱ぐことも面倒である。高齢者であれば一人で着脱することは出来ず、付添いの介護者にとっても長いストッキングの着脱には苦労を要する。また、厚手の生地で構成しているソックスの場合も長さは短くても着脱は容易でない。
本発明が解決しようとする課題はこの問題点であり、比較的容易に着脱することが出来るストッキングやソックス及びタイツを提供する。
【課題を解決するための手段】
【００１０】
本発明のストッキングやソックスは保温を目的としたもの、また健康維持を目的としたものがあり、その用途に応じて使われる生地は違ってくる。健康維持としてのストッキングやソックスであれば、着用した際にふくらはぎ部などの脚を適度な圧縮力によって締付けることが出来る生地によって構成されている。
ところで、本発明のストッキングやソックスは足部と脚部から成り、該脚部にはその上端から足部側へ延びるスリットを形成し、その為にスリットは開口することが出来るように構成している。
【００１１】
そして、該スリットを跨いで両縁には伸縮生地が繋がれており、その為にスリットは開口することは出来るが、その開口幅は上記伸縮生地にて規制される。また、スリットを閉じることが出来るように閉塞手段を設けている。ただし、上記閉塞手段の具体的な形態及びその構造に関しては限定しないが、一般的にはファスナーを縁に沿設する。該ファスナーにてスリットが開口しないように閉じることで脚に着用出来、また脚を適度な圧縮力にて締付けることが出来る。
一方、腰まで延びるタイツとしてのストッキングの場合には、上記スリットは腰部上端から脚部及び足部側へ延びている。
【発明の効果】
【００１２】
本発明に係るストッキングやソックスは、その脚部にスリットが上端から足部側へ延びて形成されていることで、該スリットを開いて簡単に着用することが出来、また脱ぐことも可能である。
特に、健康維持を目的としたストッキングの場合、着用することで脚を適度な圧縮力にて締付けて、むくみを抑制すること出来、また、手術の際の血栓の発生を防ぐことが可能なように弾性に富んだストッキングであっても、上記スリットを形成することでその着脱は容易になる。
【００１３】
ただし、スリットの両縁にはスリットを跨いで伸縮生地が繋がれていることで、スリットの開口度は規制され、その為に、ストッキングやソックスの着脱はし易くなっている。伸縮生地が無いとスリットは大きく開口してストッキングとしての全体形状が崩れてしまって履きにくくなるが、本発明では伸縮生地が設けられることで着脱し易い。
【００１４】
そこで、着脱する際には伸縮生地が伸びてスリットが開く為に、サイズ（脚部周長）が大きくなって履き易いストッキングとなる。そして、着用したならばファスナーなどの閉塞手段にてスリットを閉じることが出来て、脚を適度な圧縮力にて締付けることが可能となる。また、脱ぐ際には閉塞手段を解除するならば、スリットが開いて簡単に脱ぐことが出来る。
【図面の簡単な説明】
【００１５】
【図１】本発明に係るストッキングを示す実施例。
【図２】ストッキングの脚部に設けたスリットが開かれた場合。
【図３】脚部のスリットを開口した状態で脚にストッキングを着用した場合。
【図４】脚にストッキングを着用してスリットを閉じた場合。
【図５】スリットの閉塞手段としてフック−アイを縫い付けた場合。
【図６】タイツとして機能する本発明のストッキングを示す実施例。
【発明を実施するための形態】
【００１６】
図１は本発明に係るストッキングを示す実施例であり、同図の１は脚部、２は足部、３はファスナーをそれぞれ表わしている。ストッキングはその用途・目的によって色々な種類があって、使われる生地も様々であるが、脚部１の上端から足部２にかけて空間が連続して形成され、上端開口１２から足を入れることで着用出来、足から脚にかけて保温することが出来る。
【００１７】
一方、血流の停滞を抑制し、脚のむくみを抑制することが出来る弾性機能を備えたストッキングは、脚に着用することで該脚を適度な圧縮力にて締め付けることが出来る。その為に弾性ストッキングを構成している生地は常日頃着用しているストッキングとは異なる特殊生地が用いられている。
ただし、この特殊生地に関しては従来から色々開発され、また実用化もされていて、本発明は上記生地に関しては限定しないことにする。例えば、特開２０１１−１１５５７１号に係る「医療用ストッキング」に用いている生地を用いて構成することも可能である。
すなわち、本発明のストッキングはその用途・目的を特に限定するものではなく、用途・目的に応じて使用する生地を変えることが出来る。
【００１８】
図１に示すストッキングは、脚部１の上端から足部２へ向いてスリットが設けられ、該スリットを閉じる為に上記ファスナー３を沿設している。そこで、このストッキングを着用する場合には、スライダー８を下方へスライドしてスリットを開口し、脚部１を大きく（周長を長く）することが出来る。
図２はファスナー３を解除してスリット４を開口した状態の脚部１を表しているが、該開口５の所々には伸縮バンド６，６・・・を設けている。
【００１９】
伸縮バンド６，６・・・の先端部はスリット４を跨いで両縁部７，７に縫い付けられていて、伸縮バンド６，６・・・が伸びることでスリット４は大きく開くことが出来、その為に無理することなく脚にストッキングを嵌めて着用することが出来る。そして、脚に着用したならば下方に位置するスライダー８を上方へスライドして持ち上げことで、スリットの開口５は閉じて普通のストッキングとなり、必要に応じて脚を適度な圧縮力にて締め付けることが出来る。
【００２０】
ここで、伸縮バンド６，６・・・は両縁部７，７に縫い付けられて伸びることでスリット４は開口するが、上記伸縮バンド６，６・・・の本数（枚数）は特に限定しない。ストッキングを着脱し易い本数（枚数）としている。
勿論、上記伸縮バンド６，６・・・がなくても脚に嵌めてスライダー８を操作してファスナー３にて開口５を閉じるならば、脚を締め付けることは可能であるが、該伸縮バンド６，６・・・がないならばストッキング全体の形が崩れてしまい、着用する際に不便である。
【００２１】
ところで、上記脚部１に設けたスリット４の開口度を規制するには上記伸縮バンド６，６・・・に限るものではなく、該スリット４の全長にわたって伸縮生地を縫い付けることも可能である。
一方、スリット４を閉じる為の閉塞手段としては、上記ファスナー３に限るものではない。例えば、ファスナー３に代わってフックを所々に設けることも出来、又はボタンを取付けてもよい。
【００２２】
図３は脚９に本発明のストッキングを履いた場合を示している。スライダー８を下方に下げるならば、ファスナー３は解除されてスリット４は前記図２に示すように開口し、その為に脚部１の周長は拡大する。図１に示すようにファスナー３が上がってスリット４が閉じた状態では脚部１の周長は小さく、その為に脚９に嵌める際には大きく引き伸ばして周長を拡大しなくてはならない。
【００２３】
そこで、本発明のストッキングはその脚部１にスリット４を設け、該スリット４は図１に示すようにファスナー３にて閉じられているが、該スライダー８が下がってファスナー３を解除することで、スリット４は開口することが出来る。したがって、該ストッキングを簡単に履くことが出来、履いた状態でスライダー８を持ち上げてスリット４の開口５を閉じることが出来、その結果、従来の一般的なストッキングと同じように着用出来、足から脚にかけて保温することが出来る。また、使用する生地によっては脚９は適度な圧縮力で締め付けられる。
【００２４】
図５はスリット４を閉じることが出来る別の閉塞手段を表している。一方側の縁部７ａにはフック１０が縫い付けられ、他方側の縁部７ｂにはアイ１１が縫い付けられている。そこで、脚９に嵌めた状態でフック１０をアイ１１に係止することで該脚９を覆うことが出来、必要に応じて適当な圧縮力にて締め付けることが出来る。
【００２５】
一方、本発明はその対象を腰まで延びているタイツにも適用することが可能である。図６はタイツとして機能するストッキングを表している実施例であり、タイツは着用することで足部１３、脚部１４はもとより腰部１５まで被覆することが出来る。
このタイツに脚部１４及び腰部１５にかけてスリット１６を設けるならば着用し易くなる。特に、伸びにくい厚めの生地で構成したタイツであっても、スリット１６を設けることで簡単に着用出来、その後でファスナー１７にてスリット１６の開口を閉じることが出来る。
【００２６】
タイツは足部１３から腰部１５まで延びていることで、その着用は容易でなく、特に高齢者ともなれば自分で履くことは困難となる。また、介護者にとってもタイツを履かせることは容易でなく、その為に上記実施例と同じように上端まで延びるスリット１６を形成し、このスリット１６の所々に伸縮生地を縫い付けることで、タイツの着脱は簡単にできる。
【００２７】
一方、図１に示すようなストッキングではなく、比較的短いソックスであっても、その上端から足部に向いて延びるスリットを設けて開口可能とし、開口度を規制する為に伸縮生地（伸縮バンド）を縫付けることも出来る。ソックスのように短くても生地が厚く成れば履き難く、脱ぎ難くなるが、スリットを設けて開口することでソックスの着脱は容易になる。
【符号の説明】
【００２８】
１   脚部
２   足部
３   ファスナー
４   スリット
５   開口
６   伸縮バンド
７   縁部
８   スライダー
９   脚
10   フック
11   アイ
12   開口
13   足部
14   脚部
15   腰部
16   スリット
17   ファスナー
【図１】
2019108631.tif 000003
【図２】
2019108631.tif 000004
【図３】
2019108631.tif 000005
【図４】
2019108631.tif 000006
【図５】
2019108631.tif 000007
【図６】
2019108631.tif 000008